(57)【要約】【課題】エレメントとリングとを容易にかつ確実に組み付けることができる伝動ベルトおよびその組み付け方法を提供する。【解決手段】２列のリングＲを収容する凹部７が形成されるとともに、凹部７における左右内壁面５ａ，６ａにリングＲを係合させてその離脱を防止する抜け止め部８，９が形成された板片状の多数のエレメントＥを環状に配列し、そのエレメントＥの列における両抜け止め部８，９と凹部７の底面３ａとの間にリングＲを組み付けた伝動ベルトＶにおいて、円周方向の異なる位置に幅が狭い幅狭部１３ａと幅が広い幅広部１３ｂとが形成された調整分割リング１３を少なくとも１列含む２列の分割リングＲａ，ＲｂからリングＲを構成し、２列の分割リングＲａ，Ｒｂを幅狭部１３ａと他方の分割リングとを当接もしくは近接させて並列させた個所におけるリングＲの全幅Ｌminを開口部の開口幅Ｗ１よりも狭くする。【選択図】図１
2009204099.tif 000002
【特許請求の範囲】
【請求項１】
帯状のリングを収容する凹部が形成されるとともに、その凹部における左右の内壁面の開口部側に前記リングを係合させてその離脱を防止する左右の抜け止め部が形成された板片状の多数のエレメントを環状に配列し、その環状に配列されたエレメントの列における前記両抜け止め部と前記凹部内の前記両内壁面を繋ぐ底面との間に前記リングを嵌め込んで組み付けた伝動ベルトにおいて、
前記リングは、
互いに幅方向に並列するとともに円周方向の異なる位置に幅が狭い幅狭部とその幅狭部よりも幅が広い幅広部とが形成された調整分割リングを少なくとも１列含む複数列の分割リングから構成され、
前記複数列の分割リングを前記幅狭部と他の前記分割リングとを当接もしくは近接させて並列させた個所における前記リングの全幅が前記開口部の開口幅よりも狭いこと
を特徴とする伝動ベルト。
【請求項２】
前記リングは、
２列の前記調整分割リングから構成され、
前記２列の調整分割リングを、互いの前記幅狭部と前記幅広部とを当接もしくは近接させて並列させることにより前記リングの全幅が前記開口幅よりも狭くなる幅狭状態と、互いの前記幅広部同士を当接もしくは幅方向に離隔させて並列させることにより前記リングの全幅が前記開口幅よりも広くなる幅広状態とを実現可能に構成されていること
を特徴とする請求項１に記載の伝動ベルト。
【請求項３】
前記２列の調整分割リングは、それぞれ、幅方向における互いの対向面に、それら２列の調整分割リングを前記幅狭状態にする際に互いに嵌り合う嵌合部が形成されていることを特徴とする請求項２に記載の伝動ベルト。
【請求項４】
帯状のリングを収容する凹部が形成されるとともに、その凹部における左右の内壁面の開口部側に前記リングを係合させてその離脱を防止する左右の抜け止め部が形成された板片状の多数のエレメントを環状に配列し、その環状に配列されたエレメントの列における前記両抜け止め部と前記凹部内の前記両内壁面を繋ぐ底面との間に前記リングを嵌め込んで組み付ける伝動ベルトの組み付け方法において、
前記リングは、互いに幅方向に並列するとともに円周方向の異なる位置に幅が狭い幅狭部とその幅狭部よりも幅が広い幅広部とが形成された調整分割リングを少なくとも１列含む複数列の分割リングから構成されていて、
前記複数列の分割リングを前記幅狭部と他の前記分割リングとを当接もしくは近接させて並列させた個所における前記リングの全幅を前記開口部の開口幅よりも狭くして、前記リングを前記凹部内に挿入すること
を特徴とする伝動ベルトの組み付け方法。
【請求項５】
前記リングは、２列の前記調整分割リングから構成されるとともに、前記２列の調整分割リングを、互いの前記幅狭部と前記幅広部とを当接もしくは近接させて並列させることにより前記リングの全幅を前記開口幅よりも狭くした幅狭状態と、互いの前記幅広部同士を当接もしくは幅方向に離隔させて並列させることにより前記リングの全幅を前記開口幅よりも広くした幅広状態とを実現可能に構成されていて、
前記２列のリングを前記幅狭状態にして、前記リングを前記凹部内に挿入し、
その後、前記２列のリングを前記幅広状態にして、前記リングを前記両抜け止め部と前記底面との間に嵌め込んで組み付けること
を特徴とする請求項４に記載の伝動ベルトの組み付け方法。
【請求項６】
前記２列の調整分割リングは、それぞれ、幅方向における互いの対向面に、それら２列の調整分割リングを前記幅狭状態にする際に互いに嵌り合う嵌合部が形成されていることを特徴とする請求項５に記載の伝動ベルトの組み付け方法。
【発明の詳細な説明】
【技術分野】
【０００１】
この発明は、板片状の多数のエレメントを互いに対面させて環状に配置し、それらのエレメントをリングに組み付けることにより無端環状に結束して構成した伝動ベルトおよびその組み付け方法に関するものである。
【背景技術】
【０００２】
一般に、複数の回転部材同士の間で動力の伝達を行う場合に用いる変速機として、変速比を段階的に変化させることができる有段変速機と、変速比を連続してすなわち無段階に変化させることができる無段変速機とがあり、後者の無段変速機としてはベルト式無段変速機およびトロイダル式無段変速機などが知られている。このうち、ベルト式無段変速機は、駆動側プーリおよび従動側プーリの２組のプーリと、それらのプーリに巻き掛けられる伝動ベルトとを使用して変速比を無段階に変化させる変速機である。そのようなベルト式無段変速機に用いられる伝動ベルトとして、例えば、エレメントあるいはブロックなどと称される多数の板片をその板厚方向に互いに重ね合わせて環状に配列するとともに、それらの板片をリングあるいはバンドあるいはキャリアなどと称される環状の帯状体で環状に結束することにより、無端環状に形成されたベルトが知られている。
【０００３】
このような伝動ベルトが、駆動側および従動側の２組のプーリに巻き掛けられた状態で駆動側プーリが駆動されると、エレメントには、エレメントと駆動側プーリとの接触部分の摩擦力、および、駆動側プーリのトルクに応じて駆動側プーリからエレメントに対して加えられるエレメントの積層方向すなわちエレメントの厚さ方向の圧縮力が作用する。そして、駆動側プーリに接触しているエレメントに伝達された圧縮力は、プーリに巻き掛けられていないエレメントを経由して、従動側プーリに接触しているエレメントに伝達される。この従動側プーリに接触しているエレメントに圧縮力が伝達されると、そのエレメントと従動側プーリとの接触部分の摩擦力、および伝達された圧縮力に応じて従動側プーリを回転させようとするトルクが発生する。このようにして、駆動側プーリと従動側プーリとの間で、伝動ベルトを介して動力伝達が行われる。
【０００４】
上記のような伝動ベルトの一例が特許文献１に記載されている。この特許文献１に記載されている高負荷伝動ベルトは、センターベルトと耐側圧を補強するブロックとからなる伝動ベルトであって、具体的には、上端に係止部（抜け止め部）を有している２本のベルト側部（柱部）およびそれらを下端で連結する連結部材（本体(基体)部）により形成されたブロック（エレメント）と、そのエレメントの両抜け止め部の間に開口している嵌合溝（エレメントの凹部）に両抜け止め部によってエレメントから外れないように嵌め込まれている２列の無端キャリア（リング）とによって構成されている。そして、エレメントの２本の柱部の前後面には、それぞれ嵌合用凸部（ディンプル）と嵌合用凹部（ホール）とが設けられていて、前後のエレメント同士の間でそれらディンプルとホールとが嵌り合うことにより、エレメントがベルト走行中でも整列するようになっている。
【０００５】
【特許文献１】特開２０００−２０５３４２号公報
【発明の開示】
【発明が解決しようとする課題】
【０００６】
上記の特許文献１に記載されている伝動ベルトは、エレメントの左右両端の柱部にリングとエレメントとを係止する抜け止め部が形成されていて、両柱部上方の平面部分に、隣接するエレメント同士で互いに嵌合するディンプルおよびホールが形成されている。すなわちこれらディンプルおよびホールは、エレメントの両側に左右対称に２箇所設けられている。そして、両柱部の間に形成された凹部に２列のリングを嵌め込み、抜け止め部で係止されるように組み付けることにより、伝動ベルトが構成されている。
【０００７】
このような伝動ベルトにおいては、リングにエレメントを組み付ける場合、あるいはリングに組み付けられたエレメントをリングから外す場合に、２列に並列されているリングの一部を互いに重ね合わせた状態にする必要がある。すなわち２列のリングに対してエレメントを組み付けたり、外したりする場合には、それら２列のリングにねじりを加えて互いに重ね合わせることにより、２列のリングの幅をエレメントの両抜け止め部の間の開口幅よりも狭い状態にする必要がある。
【０００８】
２列のリングにねじりを加えて互いに重ね合わせた状態にするためには、隣接しているエレメント同士を、それぞれの対向面内で相対回転、すなわちローリングさせる必要がある。しかしながら、特許文献１に記載されている伝動ベルトは、隣接するエレメント同士で互いに嵌合するディンプルとホールとがエレメントの左右両側に２箇所設けられているため、エレメント同士のローリング方向の動作が規制されてしまう。その結果、２列のリングを互いに重なり合わせた状態にすることが困難になり、伝動ベルトを組み付けることができなくなる可能性があった。
【０００９】
この発明は上記の技術的課題に着目してなされたものであり、エレメントと２列のリングとを容易にかつ確実に組み付けることができる伝動ベルトおよびその組み付け方法を提供することを目的とするものである。
【課題を解決するための手段】
【００１０】
上記の目的を達成するために、請求項１の発明は、帯状のリングを収容する凹部が形成されるとともに、その凹部における左右の内壁面の開口部側に前記リングを係合させてその離脱を防止する左右の抜け止め部が形成された板片状の多数のエレメントを環状に配列し、その環状に配列されたエレメントの列における前記両抜け止め部と前記凹部内の前記両内壁面を繋ぐ底面との間に前記リングを嵌め込んで組み付けた伝動ベルトにおいて、前記リングは、互いに幅方向に並列するとともに円周方向の異なる位置に幅が狭い幅狭部とその幅狭部よりも幅が広い幅広部とが形成された調整分割リングを少なくとも１列含む複数列の分割リングから構成され、前記複数列の分割リングを前記幅狭部と他の前記分割リングとを当接もしくは近接させて並列させた個所における前記リングの全幅が前記開口部の開口幅よりも狭いことを特徴とする伝動ベルトである。
【００１１】
また、請求項２の発明は、請求項１の発明において、前記リングが、２列の前記調整分割リングから構成され、前記２列の調整分割リングを、互いの前記幅狭部と前記幅広部とを当接もしくは近接させて並列させることにより前記リングの全幅が前記開口幅よりも狭くなる幅狭状態と、互いの前記幅広部同士を当接もしくは幅方向に離隔させて並列させることにより前記リングの全幅が前記開口幅よりも広くなる幅広状態とを実現可能に構成されていることを特徴とする伝動ベルトである。
【００１２】
そして、請求項３の発明は、請求項２の発明において、前記２列の調整分割リングが、それぞれ、幅方向における互いの対向面に、それら２列の調整分割リングを前記幅狭状態にする際に互いに嵌り合う嵌合部が形成されていることを特徴とする伝動ベルトである。
【００１３】
一方、請求項４の発明は、帯状のリングを収容する凹部が形成されるとともに、その凹部における左右の内壁面の開口部側に前記リングを係合させてその離脱を防止する左右の抜け止め部が形成された板片状の多数のエレメントを環状に配列し、その環状に配列されたエレメントの列における前記両抜け止め部と前記凹部内の前記両内壁面を繋ぐ底面との間に前記リングを嵌め込んで組み付ける伝動ベルトの組み付け方法において、前記リングは、互いに幅方向に並列するとともに円周方向の異なる位置に幅が狭い幅狭部とその幅狭部よりも幅が広い幅広部とが形成された調整分割リングを少なくとも１列含む複数列の分割リングから構成されていて、前記複数列の分割リングを前記幅狭部と他の前記分割リングとを当接もしくは近接させて並列させた個所における前記リングの全幅を前記開口部の開口幅よりも狭くして、前記リングを前記凹部内に挿入することを特徴とする伝動ベルトの組み付け方法である。
【００１４】
また、請求項５の発明は、請求項４の発明において、前記リングが、２列の前記調整分割リングから構成されるとともに、前記２列の調整分割リングを、互いの前記幅狭部と前記幅広部とを当接もしくは近接させて並列させることにより前記リングの全幅を前記開口幅よりも狭くした幅狭状態と、互いの前記幅広部同士を当接もしくは幅方向に離隔させて並列させることにより前記リングの全幅を前記開口幅よりも広くした幅広状態とを実現可能に構成されていて、前記２列のリングを前記幅狭状態にして、前記リングを前記凹部内に挿入し、その後、前記２列のリングを前記幅広状態にして、前記リングを前記両抜け止め部と前記底面との間に嵌め込んで組み付けることを特徴とする伝動ベルトの組み付け方法である。
【００１５】
そして、請求項６の発明は、請求項５の発明において、前記２列の調整分割リングが、それぞれ、幅方向における互いの対向面に、それら２列の調整分割リングを前記幅狭状態にする際に互いに嵌り合う嵌合部が形成されていることを特徴とする伝動ベルトの組み付け方法である。
【発明の効果】
【００１６】
請求項１の発明によれば、エレメントの凹部に嵌め込んで係合させるリングが複数列の分割リングから構成されるとともに、それら複数列の分割リングのうちの少なくとも１列が、円周方向の異なる位置に幅狭部と幅広部が形成された調整分割リングにより構成される。そして、調整分割リングの幅狭部と他の分割リングとが当接もしくは近接するように複数列の分割リングを並列させることにより、リングの円周方向で幅狭部を含む個所の幅が、凹部の左右の抜け止め部の互いに対向する先端部の間の距離である開口部の開口幅よりも狭くなる。そのため、エレメントの凹部に複数列の分割リングにより構成されるリングを容易に嵌め込むことができる。その結果、エレメントとリングとを容易に組み付けることができ、伝動ベルトの組み付け性を向上することができる。
【００１７】
また、請求項２の発明によれば、リングが２列の調整分割リングから構成される。そして、それら２列の調整分割リングの互いの幅狭部と幅広部とが当接もしくは近接するように、それら２列の調整分割リングを幅方向に並列させることにより、リングの全幅が凹部の開口部の開口幅よりも狭くなる幅狭状態にすることができる。したがって、２列の調整分割リングを幅狭状態にすることにより、それら幅狭状態の２列の調整分割リングを容易に左右両抜け止め部の間の開口部を通過させて凹部に挿入することができる。そして、それら幅狭状態の２列の調整分割リングをエレメントの凹部に挿入した後に、それら２列の調整分割リングを、互いの幅広部同士が当接もしくは離隔するように幅方向に並列させることにより、リングの全幅が凹部の開口部の開口幅よりも広くなる幅広状態にすることができる。したがって、左右の抜け止め部の間の開口部を通過させて凹部内に挿入した２列の調整分割リングを幅広状態にすることにより、その幅広状態でのリングの全幅がエレメントの凹部の開口幅よりも広くなり、それら２列の調整分割リングにより構成されるリングを容易に凹部内の抜け止め部と底面との間に確実に係合させた状態にすることができる。そのため、エレメントとリングとを容易にかつ確実に組み付けることができ、伝動ベルトの組み付け性を向上することができる。
【００１８】
そして、請求項３の発明によれば、２列の調整分割リングが幅方向に並列する際の互いの対向面に、それら２列の調整分割リングの互いの幅狭部と幅広部とが当接もしくは近接して並列する場合、すなわちそれら２列の調整分割リングが幅狭状態になる場合に互いに嵌り合う例えば凹凸形状の嵌合部が形成される。そのため、２列の調整分割リングを容易に幅狭状態にすることができるとともに、互いの嵌合部が嵌合し合うことにより２列の調整分割リングの幅狭状態を維持し易くなる。その結果、エレメントとリングとを容易に組み付けることができ、すなわち、伝動ベルトの組み付け性を向上することができる。
【００１９】
一方、請求項４の発明によれば、エレメントの凹部に嵌め込んで係合させるリングとして、少なくとも１列が円周方向の異なる位置に幅狭部と幅広部が形成された調整分割リングにより構成される複数列の分割リングが用いられる。そして、リングをエレメントの凹部に挿入する際に、それら複数列の分割リングが、調整分割リングの幅狭部と他の分割リングとが当接もしくは近接するように複数列の分割リングが並列させられる。調整分割リングの幅狭部と他の分割リングとを当接もしくは近接させて並列させることにより、リングの円周方向で幅狭部を含む個所の幅が、凹部の左右の抜け止め部の互いに対向する先端部の間の距離である開口部の開口幅よりも狭くなる。そのため、エレメントの凹部に複数列の分割リングにより構成されるリングを容易に嵌め込むことができる。その結果、エレメントとリングとを容易に組み付けることができ、伝動ベルトの組み付け性を向上することができる。
【００２０】
また、請求項５の発明によれば、エレメントの凹部に嵌め込んで係合させるリングとして、２列の調整分割リングが用いられる。そして、それら２列の調整分割リングの互いの幅狭部と幅広部とが当接もしくは近接するように、それら２列の調整分割リングが幅方向に並列させられて、リングの全幅が凹部の開口部の開口幅よりも狭くなる幅狭状態にされる。したがって、２列の調整分割リングを幅狭状態にすることにより、それら幅狭状態の２列の調整分割リングを容易に左右両抜け止め部の間の開口部を通過させて凹部に挿入することができる。そして、それら幅狭状態の２列の調整分割リングがエレメントの凹部に挿入された後に、それら２列の調整分割リングが、互いの幅広部同士が当接もしくは離隔するように幅方向に並列させられて、リングの全幅が凹部の開口部の開口幅よりも広くなる幅広状態にされる。したがって、左右の抜け止め部の間の開口部を通過させて凹部内に挿入された２列の調整分割リングを幅広状態にすることにより、その幅広状態でのリングの全幅がエレメントの凹部の開口幅よりも広くなり、それら２列の調整分割リングにより構成されるリングを容易に凹部内の抜け止め部と底面との間に確実に係合させた状態にすることができる。そのため、エレメントとリングとを容易にかつ確実に組み付けることができ、伝動ベルトの組み付け性を向上することができる。
【００２１】
そして、請求項６の発明によれば、２列の調整分割リングを幅方向に並列させる際の互いの対向面に、それら２列の調整分割リングの互いの幅狭部と幅広部とを当接もしくは近接して並列させる場合、すなわちそれら２列の調整分割リングを幅狭状態にする場合に互いに嵌り合う例えば凹凸形状の嵌合部が形成される。そのため、２列の調整分割リングを容易に幅狭状態にすることができるとともに、互いの嵌合部が嵌合し合うことにより２列の調整分割リングの幅狭状態を維持し易くなる。その結果、エレメントとリングとを容易に組み付けることができ、すなわち、伝動ベルトの組み付け性を向上することができる。
【発明を実施するための最良の形態】
【００２２】
つぎに、この発明を図面を参照して具体的に説明する。初めに、この発明の実施例として、この発明に係る伝動ベルトの構成例を説明し、ついで、この発明に係る伝動ベルトの組み付け方法による組み付け例を、以下に順次説明する。
【００２３】
（第１実施例）
先ず、この発明の第１実施例における伝動ベルトを構成するエレメントおよびリングの構成を、図１，図２に基づいて説明する。図１，図２において、伝動ベルトＶは、ベルト式無段変速機の駆動側（入力軸）プーリと従動側（出力軸）プーリとに巻き掛けられて、それらのプーリの間で動力を伝達するベルトの例を示している。そして、この発明における多数のエレメントＥは、例えば金属製の板片状の部材からなり、その幅方向（図１のｘ軸方向）における左右の側面１，２が、テーパ状の傾斜した面として形成された本体（基体）部３を有し、そのテーパ状に傾斜した両側面１，２が、ベルト式無段変速機の駆動側プーリあるいは従動側プーリであるプーリ４のベルト巻き掛け溝（Ｖ形溝）４ａに摩擦接触してトルクを伝達するようになっている。
【００２４】
本体部３の幅方向（図１のｘ軸方向）における左右の両端部分に、本体部３の一部であって、エレメントＥの上下方向（図１，図２のｙ軸方向）での上方に延びた左右の柱部５，６がそれぞれ形成されている。したがって、本体部３の図１，図２での上側のエッジ部分である上端面３ａと、両柱部５，６の本体部３の幅方向における中央を向いた左右の内壁面５ａ，６ａとによって、エレメントＥの上側（図１のｙ軸方向での上側）すなわち伝動ベルトＶの外周側に開口した凹部７が形成されている。言い換えると、左右の内壁面５ａ，６ａと、それら左右両内壁面５ａ，６ａを繋ぐとともに本体部３の図１，図２での上側のエッジ部分でもある底面３ａとにより、凹部７が形成されている。
【００２５】
凹部７は、互いに密着して環状に配列されたエレメントＥを環状に結束するための無端環状のリングＲを、挿入して幅方向に２列に並列させて収容するための部分であり、したがって上端面３ａが、リングＲの内周面を接触させて載せるサドル面３ａとなっている。言い換えると、上端面３ａが、上記の凹部７の底面３ａを構成するとともに、リングＲの内周面と接触してそのリングＲが配置されるサドル面３ａとなっている。
【００２６】
なお、この発明におけるリングＲは、幅方向に２列（もしくは２本もしくは２条）に分割されるとともに、例えば金属製の環状の帯状体を径方向に複数層に重ねたいわゆる積層リングとなっていて、さらに、２列の分割リングのうちの少なくとも１列が、円周方向の異なる位置に幅が狭い幅狭部とその幅狭部よりも幅が広い幅広部とが形成された調整分割リングとなっている。これら調整分割リングを含む２列の分割リングの詳細な構成に関しては後述する。
【００２７】
左右の柱部５，６の上端部分には、左右の先端面８ａ，９ａがそれぞれ本体部３の幅方向における中央に向かって延びた左右の抜け止め部８，９が、それぞれ両柱部５，６と一体に形成されている。言い換えると、凹部７の開口端（凹部７における伝動ベルトＶの外周側の端部）側の両内壁面５ａ，６ａに、凹部７の幅方向（図１のｘ軸方向）における中心側に向けた抜け止め部８，９がそれぞれ形成されている。そのため、凹部７の開口幅Ｗ１が、凹部７の開口端側で対向する両先端面８ａ，９ａの間の距離Ｗ１によって決定されている。そして、凹部７の底面３ａ（すなわちサドル面（上端面）３ａ）側では、両先端面８ａ，９ａ間の距離（開口幅）Ｗ１よりも広い内幅Ｗ２となっている。
【００２８】
この伝動ベルトＶを構成する多数のエレメントＥは、環状に配列された状態で積層リングＲによって結束され、その状態で駆動側および従動側のそれぞれのプーリ４に巻き掛けられる。したがってプーリ４に巻き掛けられた状態では、各エレメントＥが、プーリ４の中心に対して扇状に拡がり、かつ互いに密着する必要があるため、各エレメントＥの図１，図２での下側の部分（環状に配列した状態での中心側の部分）が薄肉に形成されている。
【００２９】
すなわち、本体部３の一方の面（例えば図２のｚ軸方向での左側の面）で、エレメントＥの上下方向におけるサドル面３ａの位置から下側の部分が削り落とされた状態で次第に薄肉化されている。したがって、各エレメントＥが扇形に拡がって接触する状態、言い換えると、各エレメントＥがプーリ４に巻き掛かり円弧状に湾曲して配列されて伝動ベルトＶが湾曲するベルト湾曲状態で、その板厚の変化する境界部分で接触する。この境界部分のエッジが、いわゆるロッキングエッジ１０となっている。
【００３０】
この種のエレメントＥのサドル面３ａは、多数のエレメントＥを結束しているリングＲが接触しているので、伝動ベルトＶがトルクを伝達している状態では、その接触圧が大きくなるのに対して、エレメントＥが直線状に配列されている状態からプーリ４に巻き掛かって扇状に開く場合には、リングＲとサドル面３ａとの間に滑りによる摺動が生じ、それに伴って大きい摩擦力が生じる。このとき、エレメントＥの上下方向における上記のサドル面３ａとロッキングエッジ１０との間の距離が長いと、リングＲとサドル面３ａとの間の摩擦力によるモーメントが大きくなり、リングＲとサドル面３ａとの間で一層滑りによる摺動が生じ易くなる。その結果、伝動ベルトＶの運転時における摩擦損失が増大して伝動ベルトＶの伝動効率が低下してしまうおそれがある。
【００３１】
そこで、上記のように、エレメントＥの上下方向におけるサドル面３ａの位置と同じ位置もしくはほぼ同じ位置に、すなわちエレメントＥの上下方向におけるサドル面３ａの位置からオフセットせずに、ロッキングエッジ１０を形成することによって、リングＲとサドル面３ａとの間の摩擦力によるモーメントを可及的に小さくすることができ、その結果、伝動ベルトＶの運転時における摩擦損失を低減して伝動ベルトＶの伝動効率を向上することができる。
【００３２】
エレメントＥの本体部３の幅方向における中央部分には、各エレメントＥ同士の相対的な位置を決めるためのディンプル１１とホール１２とが形成されている。具体的には、本体部３の一方の面側（図２の例では、ロッキングエッジ１０のある面側）に凸となる円錐台形のディンプル１１が形成されている。そして、このディンプル１１とは反対側の面に、隣接するエレメントＥにおけるディンプル１１を緩く嵌合（遊嵌）させる有底円筒状のホール１２が形成されている。
【００３３】
したがって、これらのディンプル１１とホール１２とが嵌合することによって、エレメントＥ同士の図１での左右方向および上下方向の相対位置を決めることができ、例えばベルト式無段変速機が運転される場合に、伝動ベルトＶのがたつきを防止して伝動ベルトＶを安定して走行させることができる。
【００３４】
前述したように、この発明における伝動ベルトＶは、エレメントＥと２列に分割されたリングＲとを容易にかつ確実に組み付けて、その組み付け性を向上することを目的としていて、そのために、この発明におけるリングＲは、２列の分割リングＲａ，Ｒｂに分割されるとともに、それら２列の分割リングＲａ，Ｒｂのうちの少なくとも１列（この実施例では２列とも）が、円周方向の異なる位置に幅が狭い幅狭部とその幅狭部よりも幅が広い幅広部とが形成された調整分割リング１３により構成されている。
【００３５】
すなわち、リングＲは、図３に示すように、２列の調整分割リング１３により構成されていて、その調整分割リング１３は、円周方向の異なる位置に、この第１実施例では、円周方向でリングＲの中心を挟んで互いに対向する位置に、調整分割リング１３の幅が最小のＬ１になる幅狭部１３ａと、調整分割リング１３の幅が幅Ｌ１よりも広くかつ最大のＬ２になる幅広部１３ｂとが形成されている。それら幅狭部１３ａと幅広部１３ｂとは、２つのリング側面１３ｃ，１３ｄ、すなわち調整分割リング１３の内外周面に垂直なリング側面１３ｃと、幅狭部１３ａと幅広部１３ｂの幅寸法差（Ｌ２−Ｌ１）の分だけ一方のリング側面１３ｃに対して傾斜しているリング側面１３ｄとによって繋がれている。なお、この実施例ではリングＲの厚さは全周において一定となっており、したがってリングＲの内周面と外周面とは互いに平行な曲面となっている。
【００３６】
したがって、上記の２列の分割リング１３を、それぞれのリング側面１３ｄ同士を対向させ、かつそれぞれの幅狭部１３ａと幅広部１３ｂとを当接させて幅方向に並列させることにより、幅方向の左右のリング側面１３ｃが互いに平行で、かつ全幅がＬmin（＝Ｌ１＋Ｌ２）のリングＲが構成される。すなわち、リングＲは、２列の分割リング１３のそれぞれの幅狭部１３ａと幅広部１３ｂとを当接させて幅方向に並列させることにより、その全幅がＬminとなって最小になる幅狭状態を実現することが可能なように構成されている。
【００３７】
また、上記のような幅狭状態におけるリングＲの全幅Ｌminが、前述のエレメントＥの凹部７の開口幅Ｗ１よりも狭くなるように、調整分割リング１３の各部の幅寸法や、あるいはエレメントＥの各部の形状・寸法などが設定されて形成されている。
【００３８】
したがって、図４に示す状態のように、２列の調整分割リング１３のそれぞれの幅狭部１３ａと幅広部１３ｂとを当接させて並列させ、リングＲを幅狭状態にすることにより、リングＲの全幅Ｌminを凹部７の開口幅Ｗ１よりも狭くして、その幅狭状態のリングＲを、凹部７の開口部分の先端面８ａと先端面９ａとの間を容易に通過させて凹部７内に挿入することができる。
【００３９】
さらに、２列の調整分割リング１３は、それぞれの幅広部１３ｂ同士を当接もしくは僅かに離隔させて幅方向に並列させることにより、その全幅がＬmax（≒Ｌ２＋Ｌ２）となって最大になる幅広状態を実現することが可能なように構成されている。
【００４０】
そして、上記のような幅広状態におけるリングＲの全幅Ｌmaxが、前述のエレメントＥの凹部７の開口幅Ｗ１よりも広く、かつ凹部７の内幅Ｗ２よりも狭くなるように、調整分割リング１３の各部の幅寸法や、あるいはエレメントＥの各部の形状・寸法などが設定されて形成されている。
【００４１】
したがって、図５に示す状態のように、２列の調整分割リング１３のそれぞれの幅広部１３ｂ同士を当接もしくは僅かに離隔させて並列させ、リングＲを幅広状態にすることにより、リングＲの全幅Ｌmaxを凹部７の開口幅Ｗ１よりも広くして、その幅広状態のリングＲを、凹部７の左右の抜け止め部８，９と底面３ａとの間に係合させることができる。
【００４２】
上記のように、リングＲを一旦幅狭状態にして、エレメントＥの凹部７内に挿入し、その後、２列の調整分割リング１３を互いに円周方向に相対移動させてリングＲを幅広状態にすることにより、２列に分割されたリングＲをエレメントＥの凹部７に嵌め込んで係合した状態を保持すること、すなわち、エレメントＥとリングＲとを組み付けて伝動ベルトＶを構成することができる。
【００４３】
つぎに、この第１実施例で示す構成の伝動ベルトＶの組み付け例を、図面に基づいて説明する。この発明による伝動ベルトＶを組み付ける場合、先ず、所定の枚数のエレメントＥと、リングＲとして２列（もしくは２本，２条）の調整分割リング１３が用意され、前述の図４に示すように、リングＲすなわち２列の調整分割リング１３が、その全幅Ｌminが凹部７の開口幅Ｗ１よりも狭くなる幅狭状態にされる。すなわち、２列の調整分割リング１３のそれぞれの幅狭部１３ａと幅広部１３ｂとが当接するように並列させられて、その結果、リングＲとしての全幅ＬminがエレメントＥの凹部７の開口幅Ｗ１よりも狭くなる。
【００４４】
すなわち、リングＲを幅狭状態にすることより、リングＲの全幅ＬminはエレメントＥの開口幅Ｗ１よりも狭くなり、図１，図４に示すように、エレメントＥの凹部７に、リングＲを容易に嵌め込むことができる。すなわち、例えば従来技術によるベルトのように、エレメントとリングとを組み付ける際に、２列のリングを互いに重ね合わせるためにエレメントをローリングさせたりすることなく、２列の調整分割リング１３からなるリングＲを、エレメントＥの凹部７の開口幅Ｗ１の部分を容易に通過させて、エレメントＥの凹部７内に容易に嵌め込むことができる。
【００４５】
そして、上記のように幅狭状態にされたリングＲとエレメントＥとを組み付ける作業が順次繰り返し行われる。それらの組み付けの際には、上記のように２列の分割リングＲａ，Ｒｂ（すなわち２列に調整分割リング１３）を互いに重ね合わせたり、そのためにエレメントＥをローリングさせたりする必要がないので、リングＲの全周長に対して組み付けられるエレメントＥの枚数が比較的少ない組み付け初期段階から、リングＲの全周長に対して組み付けられたエレメントＥの枚数が比較的多数となった組み付け最終段階まで、さらに組み付けを所望する最後の１枚のエレメントＥとリングＲとを組み付ける際にも、上記に示した内容と同様の作業を行うことによって、それらエレメントＥとリングＲとを容易に組み付けることができる。
【００４６】
そして、組み付けを所望する最後の１枚のエレメントＥとリングＲとが組み付けられると、すなわち、所望する全てのエレメントＥの凹部７に全幅Ｌminが凹部７の開口幅Ｗ１よりも狭くなる幅狭状態にされたリングＲが嵌め込まれると、幅狭状態にされていたリングＲが、すなわち互いの幅狭部１３ａと幅広部１３ｂとが当接するように並列させられていた２列の調整分割リング１３が、図５に示すように、周長方向に互いに相対移動させられて、互いの幅広部１３ｂ同士が当接もしくは僅かに離隔するように並列させた幅広状態にされる。その結果、リングＲの全幅Ｌmaxが凹部７の開口幅Ｗ１よりも広くなり、それら２列の調整分割リング１３の他方のリングと対向しない側のリング側面１３ｃが、それぞれ、エレメントＥの抜け止め部８，９と底面３ａとの間に係合される、もしくはリングＲが凹部７から離脱しようとする際にエレメントＥの抜け止め部８，９と底面３ａとの間に係止する状態にされる。
【００４７】
このようにして、全てのエレメントＥの凹部７にリングＲが挿入され、リングＲを構成する２列の調整分割リング１３が幅広状態にされると、それら各調整分割リング１３の互いに対向しない側のリング側面１３ｃが、エレメントＥの両抜け止め部８，９にそれぞれ係合もしくは係止する。その結果、全てのエレメントＥとリングＲとの組み付け状態が維持されることになり、すなわち、伝動ベルトＶの組み付けが完了する。
【００４８】
そして、上記のようにして２列の調整分割リング１３を幅広状態にすること、すなわち各調整分割リング１３を互いに周長方向に相対移動させて、互いの幅狭部１３ａと幅広部１３ｂとの嵌合状態を一旦解消することにより、その後は、それら各調整分割リング１３の積層されている各層のリング同士が周長方向に相対移動することなどにより、一旦幅広状態にされたリングＲが再び幅狭状態に戻ることがなくなる。そのため、伝動ベルトＶの運転時においても、エレメントＥとリングＲとの組み付け状態が維持されて、伝動ベルトＶによるトルクの伝達を確実に行うことができる。
【００４９】
（第２実施例）
図６は、この発明の第２実施例における伝動ベルトＶの構成を示す図である。上記の第１実施例では、リングＲが、幅狭部１３ａと幅広部１３ｂとが円周方向にそれぞれ１個所ずつ形成されている２列の調整分割リング１３によって構成された例を示しているのに対し、この第２実施例では、リングＲが、幅狭部２１ａと幅広部２１ｂとが円周方向にそれぞれ複数個所ずつ形成されている嵌合部２２が形成されている２列の調整分割リング２１によって構成された例を示している。
【００５０】
具体的には、リングＲは、前述の調整分割リング１３と同様に、例えば金属製の環状の帯状体を径方向に複数層に重ねたいわゆる積層リングとして形成された２列の調整分割リング２１によって構成されていて、その調整分割リング２１は、円周方向の異なる位置に、この第２実施例では、それぞれ円周方向で等ピッチに、調整分割リング２１の幅が最小のＬ１になる幅狭部２１ａと、調整分割リング２１の幅が幅Ｌ１よりも広くかつ最大のＬ２になる幅広部２１ｂとが複数個所形成されている。
【００５１】
そして、この第２実施例における幅狭部２１ａおよび幅広部２１ｂは、２列の調整分割リング２１の幅方向における互いの対向面（リング側面）２１ｄに形成されるとともに、それら互いの幅狭部２１ａと幅広部２１ｂとが嵌り合う嵌合部２２として形成されている。すなわち、図６に示すように、幅狭部２１ａは、リング側面２１ｄに対して台形状に窪んだ嵌合凹部２２ａとして形成され、一方、幅広部２１ｂは、幅狭部２１ａすなわち嵌合凹部２２ａの底面に対して台形状に突出した嵌合凸部２２ｂとして形成されていて、それら嵌合凹部２２ａと嵌合凹部２２ｂとが互いに嵌り合うようになっている。したがって、並列する２列の調整分割リング２１の互いに対向する嵌合凹部２２ａすなわち幅狭部２１ａと、嵌合凸部２２ｂすなわち幅広部２１ｂとにより、嵌合部２２が形成されている。
【００５２】
したがって、上記の２列の分割リング２１を、それぞれのリング側面２１ｄ同士を対向させ、かつそれぞれの幅狭部２１ａと幅広部２１ｂとを互いに当接もしくは近接させて幅方向に並列させることにより、別な言い方をすると、それぞれのリング側面２１ｄ同士を対向させ、かつそれぞれの嵌合凹部２２ａと嵌合凸部２２ｂとを互いに嵌合させて幅方向に並列させることにより、幅方向の左右のリング側面２１ｃが互いに平行で、かつ全幅がＬmin（≒Ｌ１＋Ｌ２）のリングＲが構成される。すなわち、リングＲは、２列の分割リング２１のそれぞれの幅狭部２１ａと幅広部２１ｂとを当接もしくは近接させて幅方向に並列させることにより、言い換えると、それぞれの嵌合部２２を互いに嵌合させることにより、その全幅がＬminとなって最小になる幅狭状態を実現することが可能なように構成されている。
【００５３】
また、上記のような幅狭状態におけるリングＲの全幅Ｌminが、前述のエレメントＥの凹部７の開口幅Ｗ１よりも狭くなるように、調整分割リング２１の各部の幅寸法や、あるいはエレメントＥの各部の形状・寸法などが設定されて形成されている。
【００５４】
したがって、図６の（ａ）に示す状態のように、２列の調整分割リング２１のそれぞれの幅狭部２１ａと幅広部２１ｂとを当接させて並列させ、言い換えると、それぞれの嵌合部２２を互いに嵌合させて並列させてリングＲを幅狭状態にすることにより、リングＲの全幅Ｌminを凹部７の開口幅Ｗ１よりも狭くして、その幅狭状態のリングＲを、凹部７の開口部分の先端面８ａと先端面９ａとの間を容易に通過させて凹部７内に挿入することができる。
【００５５】
さらに、２列の調整分割リング２１は、それぞれの幅広部２１ｂ同士を当接もしくは僅かに離隔させて幅方向に並列させることにより、その全幅がＬmax（≒Ｌ２＋Ｌ２）となって最大になる幅広状態を実現することが可能なように構成されている。
【００５６】
そして、上記のような幅広状態におけるリングＲの全幅Ｌmaxが、前述のエレメントＥの凹部７の開口幅Ｗ１よりも広く、かつ凹部７の内幅Ｗ２よりも狭くなるように、調整分割リング２１の各部の幅寸法や、あるいはエレメントＥの各部の形状・寸法などが設定されて形成されている。
【００５７】
したがって、図６の（ｂ）に示す状態のように、２列の調整分割リング２１のそれぞれの幅広部２１ｂ同士を当接もしくは僅かに離隔させて並列させ、言い換えると、それぞれの嵌合部２２を互いに離隔させて並列させてリングＲを幅広状態にすることにより、リングＲの全幅Ｌmaxを凹部７の開口幅Ｗ１よりも広くして、その幅広状態のリングＲを、凹部７の左右の抜け止め部８，９と底面３ａとの間に係合させることができる。
【００５８】
上記のように、リングＲを一旦幅狭状態にして、エレメントＥの凹部７内に挿入し、その後、２列の調整分割リング２１を互いに円周方向に相対移動させてリングＲを幅広状態にすることにより、２列に分割されたリングＲをエレメントＥの凹部７に嵌め込んで係合した状態を保持すること、すなわち、エレメントＥとリングＲとを組み付けて伝動ベルトＶを構成することができる。
【００５９】
つぎに、この第２実施例で示す構成の伝動ベルトＶの組み付け例を、図面に基づいて説明する。この第２実施例で示す構成の伝動ベルトＶも、前述の第１実施例で示した構成の伝動ベルトＶと同様に組み付けることができる。すなわち、先ず、所定の枚数のエレメントＥと、リングＲとして２列（もしくは２本，２条）の調整分割リング２１が用意され、前述の図６の（ａ）に示すように、リングＲすなわち２列の調整分割リング２１が、その全幅Ｌminが凹部７の開口幅Ｗ１よりも狭くなる幅狭状態にされる。すなわち、２列の調整分割リング２１のそれぞれの幅狭部２１ａと幅広部２１ｂとが当接もしくは近接するように並列させられ、言い換えると、それぞれの嵌合部２２が互いに嵌合するように並列させられて、その結果、リングＲとしての全幅ＬminがエレメントＥの凹部７の開口幅Ｗ１よりも狭くなる。
【００６０】
リングＲを幅狭状態にすることより、リングＲの全幅ＬminはエレメントＥの開口幅Ｗ１よりも狭くなり、図６の（ａ）に示すように、エレメントＥの凹部７に、リングＲを容易に嵌め込むことができる。すなわち、例えば従来技術によるベルトのように、エレメントとリングとを組み付ける際に、２列のリングを互いに重ね合わせるためにエレメントをローリングさせたりすることなく、２列の調整分割リング２１からなるリングＲを、エレメントＥの凹部７の開口幅Ｗ１の部分を容易に通過させて、エレメントＥの凹部７内に容易に嵌め込むことができる。
【００６１】
上記のように幅狭状態にされたリングＲとエレメントＥとを組み付ける作業が順次繰り返し行われる。それらの組み付けの際には、上記のように２列のリングＲを互いに重ね合わせるためにエレメントＥをローリングさせる必要がないので、リングＲの全周長に対して組み付けられるエレメントＥの枚数が比較的少ない組み付け初期段階から、リングＲの全周長に対して組み付けられたエレメントＥの枚数が比較的多数となった組み付け最終段階まで、さらに組み付けを所望する最後の１枚のエレメントＥとリングＲとを組み付ける際にも、上記に示した内容と同様の作業を行うことによって、それらエレメントＥとリングＲとを容易に組み付けることができる。
【００６２】
そして、組み付けを所望する最後の１枚のエレメントＥとリングＲとが組み付けられると、すなわち、所望する全てのエレメントＥの凹部７に全幅Ｌminが凹部７の開口幅Ｗ１よりも狭くなる幅狭状態にされたリングＲが嵌め込まれると、幅狭状態にされていたリングＲが、すなわち互いの幅狭部２１ａと幅広部２１ｂとが当接するように並列させられていた、言い換えると、それぞれの嵌合部２２が互いに嵌合するように並列させられていた２列の調整分割リング２１が、図６の（ｂ）に示すように、互いに幅方向に離隔するように相対移動させられるとともに、周長方向にも互いに相対移動させられて、互いの幅広部２１ｂ同士が当接もしくは幅方向に僅かに離隔するように並列した幅広状態にされる。その結果、リングＲの全幅Ｌmaxが凹部７の開口幅Ｗ１よりも広くなり、それら２列の調整分割リング２１の他方のリングと対向しない側のリング側面２１ｃが、それぞれ、エレメントＥの抜け止め部８，９と底面３ａとの間に係合される、もしくはリングＲが凹部７から離脱しようとする際にエレメントＥの抜け止め部８，９と底面３ａとの間に係止する状態にされる。
【００６３】
このようにして、全てのエレメントＥの凹部７にリングＲが挿入され、リングＲを構成する２列の調整分割リング２１が幅広状態にされると、それら各調整分割リング２１の互いに対向しない側のリング側面２１ｃが、エレメントＥの両抜け止め部８，９にそれぞれ係合もしくは係止する。その結果、全てのエレメントＥとリングＲとの組み付け状態が維持されることになり、すなわち、伝動ベルトＶの組み付けが完了する。
【００６４】
そして、上記のようにして２列の調整分割リング２１を幅広状態にすること、すなわち各調整分割リング２１を互いに幅方向に相対移動させるとともに、互いに周長方向に相対移動させて、互いの幅狭部２１ａと幅広部２１ｂとの嵌合状態を一旦解消することにより、その後は、図７に示す状態のように、それら各調整分割リング２１の積層されている各層のリング同士が周長方向に相対移動することなどにより、一旦幅広状態にされたリングＲが再び幅狭状態に戻ることがなくなる。そのため、伝動ベルトＶの運転時においても、エレメントＥとリングＲとの組み付け状態が維持されて、伝動ベルトＶによるトルクの伝達を確実に行うことができる。
【００６５】
なお、図８ないし図１０に、上記の第２実施例で示した調整分割リング２１の他の実施形態を示す。すなわち、上記の図６，図７では、調整分割リング２１の嵌合部２２が、互いに嵌り合う台形形状の嵌合凹部２２ａと嵌合凸部２２ｂとにより構成された例を示しているのに対して、例えば、図８は、調整分割リング２１の嵌合部２２が、嵌合凹部２２ａと嵌合凸部２２ｂとが互いに嵌り合う矩形状の凹凸に形成されている例、図９は、嵌合凹部２２ａと嵌合凸部２２ｂとが互いに嵌り合う三角形状の凹凸に形成されている例、図１０は、嵌合凹部２２ａと嵌合凸部２２ｂとが互いに嵌り合う円弧状の凹凸に形成されている例をそれぞれ示している。
【００６６】
いずれの場合においても、上記の図６，図７に示した２列の調整分割リング２１の場合と同様に、それぞれの嵌合部２２を互いに嵌合させることにより、その全幅がＬmin（≒Ｌ１＋Ｌ２）となって最小になる幅狭状態を実現でき、また、それぞれの幅広部２１ｂ同士を当接もしくは僅かに離隔させて幅方向に並列させることにより、その全幅がＬmax（≒Ｌ２＋Ｌ２）となって最大になる幅広状態を実現できるように構成されている。
【００６７】
したがって、これら図８ないし図１０に示す構成の調整分割リング２１であっても、前述の図６，図７に示す構成の調整分割リング２１の場合と同様に、図８ないし図１０の（ａ）に示す状態のように、２列の調整分割リング２１のそれぞれの嵌合部２２を互いに嵌合させて並列させてリングＲを幅狭状態にすることにより、リングＲの全幅Ｌminを凹部７の開口幅Ｗ１よりも狭くして、その幅狭状態のリングＲを、凹部７の開口部分の先端面８ａと先端面９ａとの間を容易に通過させて凹部７内に挿入することができる。
【００６８】
そして、図８ないし図１０の（ｂ）に示す状態のように、２列の調整分割リング２１のそれぞれの嵌合部２２を互いに離隔させて並列させてリングＲを幅広状態にすることにより、リングＲの全幅Ｌmaxを凹部７の開口幅Ｗ１よりも広くして、その幅広状態のリングＲを、凹部７の左右の抜け止め部８，９と底面３ａとの間に係合させることができる。
【００６９】
以上のように、この発明の伝動ベルトＶによれば、エレメントＥと組み付けることにより伝動ベルトＶを構成するリングＲが、２列の調整分割リング１３，２１から構成される。そして、それら２列の調整分割リング１３，２１の互いの幅狭部１３ａ，２１ａと幅広部１３ｂ，２１ｂとが当接もしくは近接するように、それら２列の調整分割リング１３，２１を幅方向に並列させることにより、リングＲの全幅Ｌminが凹部７の開口部の開口幅Ｗ１よりも狭くなる幅狭状態にすることができる。したがって、２列の調整分割リング１３，２１を幅狭状態にすることにより、それら幅狭状態の２列の調整分割リング１３，２１を左右両抜け止め部８，９の間の開口部を通過させて凹部７に容易に挿入することができる。
【００７０】
そして、それら幅狭状態の２列の調整分割リング１３，２１をエレメントＥの凹部７に挿入した後に、それら２列の調整分割リング１３，２１を、互いの幅広部１３ｂ，２１ｂ同士が当接もしくは離隔するように幅方向に並列させることにより、リングＲの全幅Ｌmaxが凹部７の開口部の開口幅Ｗ１よりも広くなる幅広状態にすることができる。したがって、左右の抜け止め部８，９の間の開口部を通過させて凹部７内に挿入した２列の調整分割リング１３，２１を幅広状態にすることにより、その幅広状態でのリングＲの全幅ＬmaxがエレメントＥの凹部７の開口幅Ｗ１よりも広くなり、それら２列の調整分割リング１３，２１により構成されるリングＲを容易に凹部７内の両抜け止め部８，９と底面３ａとの間に確実に係合させた状態にすることができる。そのため、エレメントＥとリングＲとを容易にかつ確実に組み付けることができ、伝動ベルトＶの組み付け性を向上することができる。
【００７１】
なお、この発明は上述した具体例に限定されない。すなわち、上述した具体例では、エレメントＥと共にこの発明の伝動ベルトＶを構成するリングＲ（分割リングＲａ，Ｒｂ、調整分割リング１３，２１）が、図面上では４層に積層されたリングにより構成された例を示しているが、この発明におけるリングＲは、４層以外の複数層もしくは単層のリングであってもよい。
【００７２】
また、上述した具体例では、リングＲが、幅方向に並列する２列の調整分割リングにより構成された例を示しているが、この発明のリングＲは、少なくとも１列の調整分割リングを含む、例えば３列や４列の複数列の分割リングにより構成されたものであってもよい。
【００７３】
また、上述した具体例では、この発明の伝動ベルトＶが、例えばベルト式無段変速機に使用されている例を示しているが、この発明の伝動ベルトＶは、ベルト式無段変速機に限らず、伝動ベルトＶとプーリとによって構成される他の巻き掛け伝動装置の伝動ベルトにも適用することができる。
【図面の簡単な説明】
【００７４】
【図１】この発明に係る伝動ベルトの第１実施例におけるエレメントおよびリングの構成を示す模式図であって、その伝動ベルトの正面図である。
【図２】この発明に係る伝動ベルトの第１実施例におけるエレメントおよびリングの構成を示す模式図であって、その伝動ベルトの一部側断面図である。
【図３】この発明に係る伝動ベルトの第１実施例における分割リングの構成を説明するための模式図である。
【図４】この発明に係る伝動ベルトの第１実施例におけるリングの幅狭状態を説明するための模式図である。
【図５】この発明に係る伝動ベルトの第１実施例におけるリングの幅広状態を説明するための模式図である。
【図６】この発明に係る伝動ベルトの第２実施例におけるエレメントおよびリングの構成を示す模式図である。
【図７】この発明に係る伝動ベルトの第２実施例におけるエレメントおよびリングの構成を示す模式図であって、リングの積層している各層が互いに円周方向に相対移動した状態を示す図である。
【図８】この発明に係る伝動ベルトの第２実施例におけるリングの他の構成を示す模式図である。
【図９】この発明に係る伝動ベルトの第２実施例におけるリングの他の構成を示す模式図である。
【図１０】この発明に係る伝動ベルトの第２実施例におけるリングの他の構成を示す模式図である。
【符号の説明】
【００７５】
Ｅ…エレメント、  Ｒ…リング、  Ｒａ，Ｒｂ…分割リング、  Ｖ…伝動ベルト、  ３ａ…底面、  ５ａ，６ａ…内壁面、  ７…凹部、  ８，９…抜け止め部、  １３…調整分割リング、  １３ａ，２１ａ…幅狭部、  １３ｂ，２１ｂ…幅広部、  ２２…嵌合部、  ２２ａ…嵌合凹部、  ２２ｂ…嵌合凸部。
【図１】
2009204099.tif 000003
【図２】
2009204099.tif 000004
【図３】
2009204099.tif 000005
【図４】
2009204099.tif 000006
【図５】
2009204099.tif 000007
【図６】
2009204099.tif 000008
【図７】
2009204099.tif 000009
【図８】
2009204099.tif 000010
【図９】
2009204099.tif 000011
【図１０】
2009204099.tif 000012